(57)【要約】【課題】視点位置に応じて見栄えが変化する模様が形成される新規発光見栄えの灯具を提供する。【解決手段】凹反射面、凸反射面及び複数の発光体を備えた灯具において、前記凸反射面は、前記凹反射面の底部に配置されており、前記複数の発光体は、前記凸反射面に写り込むように、前記凸反射面の周囲の前記凹反射面上に環状に配置されており、前記凸反射面は、頂点及び灯具光軸を通る平面で切断した場合に、直線又は外側に膨らんだ曲線が現れる凸反射面として形成されていることを特徴とする。【選択図】  図１
2010140763.tif 000002
【特許請求の範囲】
【請求項１】
凹反射面、凸反射面及び複数の発光体を備えた灯具において、
前記凸反射面は、前記凹反射面の底部に配置されており、
前記複数の発光体は、前記凸反射面に写り込むように、前記凸反射面の周囲の前記凹反射面上に環状に配置されており、
前記凸反射面は、頂点及び灯具光軸を通る平面で切断した場合に、直線又は外側に膨らんだ曲線が現れる凸反射面として形成されていることを特徴とする灯具。
【請求項２】
前記発光体は、鋭角の端部とその反対側の端部を含んでおり、前記鋭角の端部を前記凹反射面の外周縁寄りに位置させ、かつ、その反対側の端部を前記凸反射面の底部寄りに位置させた状態で配置されていることを特徴とする請求項１に記載の灯具。
【請求項３】
前記発光体は、ＬＥＤ光源であることを特徴とする請求項１に記載の灯具。
【請求項４】
第１リフレクタ、第２リフレクタ、複数の第１光源及び複数のインナーレンズを備えた灯具において、
前記第１リフレクタは、凹反射面及び凸反射面を含んでおり、
前記第２リフレクタは、第１反射面及び第２反射面を含んでおり、
前記複数の第１光源は、光軸を外側に向けた状態で前記第１リフレクタと第２リフレクタの間に環状に配置されており、
前記凸反射面は、前記凹反射面の底部に配置されており、
前記複数のインナーレンズは、前記凸反射面に写り込むように、前記凸反射面の周囲の前記凹反射面上に環状に配置されており、
前記第１反射面は、当該第１反射面に到達した前記第１光源からの照射光を、当該第１反射面に対応して設けられた前記インナーレンズに向けて反射する反射面であり、
前記第２反射面は、当該第２反射面に到達した前記第１光源からの照射光を、当該第２反射面に対応して設けられた前記インナーレンズを介して前記凸反射面に向けて反射する反射面であり、
前記凸反射面は、頂点及び灯具光軸を通る平面で切断した場合に、直線又は外側に膨らんだ曲線が現れる凸反射面として形成されていることを特徴とする灯具。
【請求項５】
前記複数のインナーレンズは、それぞれ鋭角の端部とその反対側の端部を含んでおり、前記鋭角の端部を前記凹反射面の外周縁寄りに位置させ、かつ、その反対側の端部を前記凸反射面の底部寄りに位置させた状態で配置されていることを特徴とする請求項４に記載の灯具。
【請求項６】
複数の第２光源、第３反射面をさらに備えており、
前記複数の第２光源は、光軸を内側に向けた状態で環状に配置されており、
前記第３反射面は、当該第３反射面に到達した前記第２光源からの照射光を、前記凸反射面に向けて反射する反射面であり、
前記凸反射面は、当該凸反射面に到達した前記第３反射面からの反射光が透過可能な反射面として形成されていることを特徴とする請求項４に記載の灯具。
【発明の詳細な説明】
【技術分野】
【０００１】
本発明は、灯具に係り、特に車両用信号灯具や車両用信号灯具以外の一般照明などに適用可能な新規発光見栄えの灯具に関する。
【背景技術】
【０００２】
従来、凸反射面を用いた車両用灯具が知られている（例えば特許文献１参照）。
【０００３】
図１８は、特許文献１に記載の車両用灯具の構成を説明するための断面図である。
【０００４】
図１８に示すように、特許文献１に記載の車両用灯具２００は、中央に配置された凸反射面２１０、凸反射面２１０の周囲に環状に配置された複数のＬＥＤ光源２２０、前面レンズ２３０などを備えている。
【０００５】
特許文献１に記載の車両用灯具２００においては、凸反射面２１０は、焦点がＬＥＤ光源２２０近傍に設定された放物線Ｃを、光軸ＡＸを中心に回転させた結果得られる回転放物面系の反射面として形成されている。このため、凸反射面２１０に到達したＬＥＤ光源２２０からの照射光は、当該凸反射面２１０で平行光線に変換され、前面レンズ２３０を透過し、図１５中矢印で示す方向に照射されることとなる。
【特許文献１】特開２００２−３４３１１１号公報
【発明の開示】
【発明が解決しようとする課題】
【０００６】
しかしながら、特許文献１に記載の車両用灯具２００においては、図１６に示すように、凸反射面２１０は頂点を通る平面で切断した場合に外側に凹んだ曲線である放物線Ｃが現れる円錐形状の反射面であるため、凸反射面２１０にＬＥＤ光源２２０がほとんど写り込まない（又は極めて小さく写り込む）。このため、特許文献１に記載の車両用灯具２００によっては、ＬＥＤ光源２２０の発光見栄えが画一化し、新規発光見栄えの灯具を提供することが難しいという問題がある。
【０００７】
本発明は、このような事情に鑑みてなされたものであり、視点位置に応じて見栄えが変化する模様が形成される新規発光見栄えの灯具を提供することを目的とする。
【課題を解決するための手段】
【０００８】
上記課題を解決するため、請求項１に記載の発明は、凹反射面、凸反射面及び複数の発光体を備えた灯具において、前記凸反射面は、前記凹反射面の底部に配置されており、前記複数の発光体は、前記凸反射面に写り込むように、前記凸反射面の周囲の前記凹反射面上に環状に配置されており、前記凸反射面は、頂点及び灯具光軸を通る平面で切断した場合に、直線又は外側に膨らんだ曲線が現れる凸反射面として形成されていることを特徴とする。
【０００９】
請求項１に記載の発明によれば、凸反射面は、頂点及び灯具光軸を通る平面で切断した場合に、外側に膨らんだ曲線（又は直線）が現れる凸反射面として形成されている。このため、請求項１に記載の発明によれば、複数の発光体が凸反射面に写り込み、当該凸反射面に写り込んだ虚像が拡大され（又は縮小されず）、視点位置に応じて見栄えが変化する模様が形成されることとなる。すなわち、請求項１に記載の発明によれば、視点位置に応じて見栄えが変化する模様が形成される新規発光見栄えの灯具を提供することが可能となる。
【００１０】
請求項２に記載の発明は、請求項１に記載の発明において、前記発光体は、鋭角の端部とその反対側の端部を含んでおり、前記鋭角の端部を前記凹反射面の外周縁寄りに位置させ、かつ、その反対側の端部を前記凸反射面の底部寄りに位置させた状態で配置されていることを特徴とする。
【００１１】
請求項２に記載の発明によれば、発光体の鋭角の端部を凹反射面の外周縁寄りに位置させたので、当該発光体の鋭角の端部が凸反射面の先端に写り込み、非常にするどい形状の虚像が拡大され、わずかの視線移動で見栄えが非常に大きく変化する模様が形成されることとなる。すなわち、請求項２に記載の発明によれば、わずかの視線移動で見栄えが非常に大きく変化する模様が形成される新規発光見栄えの灯具を提供することが可能となる。
【００１２】
請求項３に記載の発明は、請求項１に記載の発明において、前記発光体は、ＬＥＤ光源であることを特徴とする。
【００１３】
請求項３に記載の発明によれば、凸反射面は、頂点及び灯具光軸を通る平面で切断した場合に、外側に膨らんだ曲線（又は直線）が現れる凸反射面として形成されている。このため、請求項３に記載の発明によれば、複数のＬＥＤ光源が凸反射面に写り込み、当該凸反射面に写り込んだ虚像が拡大され（又は縮小されず）、視点位置に応じて見栄えが変化する模様が形成されることとなる。すなわち、請求項３に記載の発明によれば、視点位置に応じて見栄えが変化する模様が形成される新規発光見栄えの灯具を提供することが可能となる。
【００１４】
請求項４に記載の発明は、第１リフレクタ、第２リフレクタ、複数の第１光源及び複数のインナーレンズを備えた灯具において、前記第１リフレクタは、凹反射面及び凸反射面を含んでおり、前記第２リフレクタは、第１反射面及び第２反射面を含んでおり、前記複数の第１光源は、光軸を外側に向けた状態で前記第１リフレクタと第２リフレクタの間に環状に配置されており、前記凸反射面は、前記凹反射面の底部に配置されており、前記複数のインナーレンズは、前記凸反射面に写り込むように、前記凸反射面の周囲の前記凹反射面上に環状に配置されており、前記第１反射面は、当該第１反射面に到達した前記第１光源からの照射光を、当該第１反射面に対応して設けられた前記インナーレンズに向けて反射する反射面であり、前記第２反射面は、当該第２反射面に到達した前記第１光源からの照射光を、当該第２反射面に対応して設けられた前記インナーレンズを介して前記凸反射面に向けて反射する反射面であり、前記凸反射面は、頂点及び灯具光軸を通る平面で切断した場合に、直線又は外側に膨らんだ曲線が現れる凸反射面として形成されていることを特徴とする。
【００１５】
請求項４に記載の発明によれば、凸反射面は、頂点及び灯具光軸を通る平面で切断した場合に、外側に膨らんだ曲線（又は直線）が現れる凸反射面として形成されている。このため、請求項４に記載の発明によれば、複数の発光体が凸反射面に写り込み、当該凸反射面に写り込んだ虚像が拡大され（又は縮小されず）、視点位置に応じて見栄えが変化する模様が形成されることとなる。
【００１６】
また、請求項４に記載の発明によれば、第１光源から照射され、第１反射面に到達した照射光は、当該第１反射面で反射され、インナーレンズを透過して照射され、第１配光パターン（特に、車両用信号灯具に適した配光パターン）を形成することとなる。また、請求項４に記載の発明によれば、第１光源から照射され、第２反射面に到達した照射光は、当該第２反射面で反射され、インナーレンズを透過して凸反射面に到達する。この凸反射面に到達した照射光は、さらに凸反射面で反射され、第１配光パターンに重畳される第２配光パターン（特に、凸反射面で拡大されたワイドな車両用信号灯具に適した配光パターン）を形成することとなる。
【００１７】
すなわち、請求項４に記載の発明によれば、視点位置に応じて見栄えが変化する模様が形成されるとともに、所定配光パターン（特に、車両用信号灯具に適した配光パターン）を形成することが可能な新規発光見栄えの灯具を提供すること（新規見栄えと所定配光パターンの両立）が可能となる。
【００１８】
請求項５に記載の発明は、請求項４に記載の発明において、前記複数のインナーレンズは、それぞれ鋭角の端部とその反対側の端部を含んでおり、前記鋭角の端部を前記凹反射面の外周縁寄りに位置させ、かつ、その反対側の端部を前記凸反射面の底部寄りに位置させた状態で配置されていることを特徴とする。
【００１９】
請求項５に記載の発明によれば、インナーレンズの鋭角の端部を凹反射面の外周縁寄りに位置させたので、当該インナーレンズの鋭角の端部が凸反射面の先端に写り込み、非常にするどい形状の虚像が拡大され（又は縮小されず）、わずかの視線移動で見栄えが非常に大きく変化する模様が形成されることとなる。すなわち、請求項５に記載の発明によれば、わずかの視線移動で見栄えが非常に大きく変化する模様が形成されるとともに、所定配光パターン（特に、車両用信号灯具に適した配光パターン）を形成することが可能な新規発光見栄えの灯具を提供することが可能となる。
【００２０】
請求項６に記載の発明は、請求項４に記載の発明において、複数の第２光源、第３反射面をさらに備えており、前記複数の第２光源は、光軸を内側に向けた状態で環状に配置されており、前記第３反射面は、当該第３反射面に到達した前記第２光源からの照射光を、前記凸反射面に向けて反射する反射面であり、前記凸反射面は、当該凸反射面に到達した前記第３反射面からの反射光が透過可能な反射面として形成されていることを特徴とする。
【００２１】
請求項６に記載の発明によれば、凸反射面は当該凸反射面に到達した前記第３反射面からの反射光が透過可能な反射面として形成されているため、第２光源から照射され、第３反射面に到達した照射光は、当該第３反射面で反射され、凸反射面を透過して照射され、第１及び第２配光パターンに重畳される第３配光パターン（特に、車両用信号灯具に適した配光パターン）を形成することとなる。
【００２２】
すなわち、請求項６に記載の発明によれば、第１光源からの照射光によって形成される第１及び第２配光パターンに対し、第２光源からの照射光によって形成される第３配光パターンを付加することが可能となる。このため、例えば、請求項６に記載の発明をテールランプに適用した場合、例えば、非ブレーキ時には第１光源のみを点灯し、ブレーキ時には第１光源及び第２光源の両方を点灯するように各光源を制御することで、ブレーキ時であっても充分な光量を確保することが可能となり、法規上要求される規格を満たす配光パターンを形成することが可能となる。
【発明の効果】
【００２３】
本発明によれば、視点位置に応じて見栄えが変化する模様が形成される新規発光見栄えの灯具を提供することが可能となる。
【発明を実施するための最良の形態】
【００２４】
以下、本発明の一実施形態である灯具について図面を参照しながら説明する。
【００２５】
図１は、本発明の一実施形態である灯具の斜視図である。図２は、図１に示した灯具の部品構成図である。図３は、図１に示した灯具の拡大断面図である。
【００２６】
本実施形態の灯具１００は、テールランプなどの車両用信号灯具や車両用信号灯具以外の一般照明などに適用されるものであり、図１、図２に示すように、第１リフレクタ１０、第２リフレクタ２０、複数の第１光源３０、複数のインナーレンズ４０などを備えている。
【００２７】
まず、第１リフレクタ１０について説明する。
【００２８】
第１リフレクタ１０は、図１〜図３に示すように、凹反射面１１、凸反射面１２などを備えている。
【００２９】
凹反射面１１は、例えば、正面視略円形で、所定深さ（例えば１５ｍｍ）の凹面境（例えば回転放物面）である。凸反射面１２は、図３に示すように、頂点及び灯具光軸ＡＸ（中心線）を通る平面で切断した場合に、外側に膨らんだ曲線Ｃ（又は直線）が現れる円錐形状の反射面として形成されており、図１に示すように、凹反射面１１の底部中央に配置されている。凸反射面１２の形状は、例えば、既存プログラムを用いて後述のように決定することが可能である。
【００３０】
次に、第２リフレクタ２０について説明する。
【００３１】
第２リフレクタ２０は、図２、図３に示すように、第１反射面２１、第２反射面２２などを備えている。
【００３２】
第１反射面２１は、図３に示すように、当該第１反射面２１に到達した第１光源３０からの照射光Ｌ１を、当該第１反射面２１に対応して設けられたインナーレンズ４０に向けて反射する反射面であり、例えば、第２リフレクタ２０の底面に形成されている。第１反射面２１は、例えば、焦点が第１光源３０近傍に設定された放物線を、灯具光軸ＡＸを中心に回転させることで得られる回転放物面である。
【００３３】
第２反射面２２は、図３に示すように、当該第２反射面２２に到達した第１光源３０からの照射光Ｌ２を、当該第２反射面２２に対応して設けられたインナーレンズ４０を介して凸反射面１２に向けて反射する反射面であり、例えば、第２リフレクタ２０の内側側面に形成されている。
【００３４】
次に、第１光源３０について説明する。
【００３５】
第１光源３０は、例えば、単色又はＲＧＢ三色の一つ又は複数のＬＥＤチップをパッケージ化したＬＥＤパッケージなどのＬＥＤ光源や白熱電球などのバルブ光源である。各第１光源３０は、ＬＥＤ光源である場合、例えば、図２に示すように、光軸（照射方向）を外側に向けた状態で第１リフレクタ１０と第２リフレクタ２０の間に環状に配置されている。
【００３６】
次に、インナーレンズ４０について説明する。
【００３７】
インナーレンズ４０は、第１光源３０からの照射光が入射することで発光する発光体であり、例えば、アクリルやポリカーボネイトなどの透明又は半透明材料を射出成型することにより一体的に形成されている。インナーレンズ４０は、表面にシボ加工などの拡散処理が施されていてもよい。インナーレンズ４０は、例えば、図１に示すように、鋭角の端部４０ａとその反対側の端部４０ｂを含んでおり、凸反射面１２に写り込むように、凸反射面１２の周囲の凹反射面１１上に環状に配置されている。具体的には、インナーレンズ４０は、図１に示すように、鋭角の端部４０ａを凹反射面１１の外周縁１１ａ寄りに位置させ、かつ、その反対側の端部４０ｂを凹反射面１１の底部中央寄りに位置させた状態で凹反射面１１に形成された開口Ｈに挿入されており、周方向にほぼ等間隔で配置されている。
【００３８】
次に、凸反射面１２を決定する方法について説明する。凸反射面１２は、例えば、既存プログラムを用いて以下のように決定される。
【００３９】
図４〜図７は、凸反射面１２の決定方法を説明するための図である。
【００４０】
まず、図４に示すように、各反射面（凹反射面１１、凸反射面１２など）の形状を定め、各反射面（凹反射面１１、凸反射面１２など）、インナーレンズ４０を配置する。図４は、凹反射面１１として所定深さ（例えば１５ｍｍ）の凹面境形状を採用し、凸反射面１２として円錐形状を採用した例である。
【００４１】
次に、図５に示すように、各インナーレンズ４０を凹反射面１１の底部中央側に移動させ、凸反射面１２に写り込んだ虚像により形成される模様を調整する。次に、図６に示すように、各インナーレンズ４０の高輝度部分を例えば赤色で着色し、凸反射面１２に写り込んだ虚像により形成される模様を確認する。次に、図７に示すように、凸反射面１２に写り込んだ虚像により形成される模様が所望の大きさになるまで、凸反射面１２を外側に湾曲させ、凸反射面１２に写り込んだ虚像により形成される模様を拡大する。以上のようにして、所望の大きさの模様が形成される凸反射面１２の形状を決定する。これにより、凸反射面１２は、図３に示すように、頂点及び灯具光軸ＡＸを通る平面で切断した場合に、外側に膨らんだ曲線Ｃ（又は直線）が現れる円錐形状の反射面として形成される。
【００４２】
以上説明したように、本実施形態の灯具１００によれば、図３に示すように、凸反射面１２は、頂点及び灯具光軸ＡＸを通る平面で切断した場合に、外側に膨らんだ曲線Ｃが現れる円錐形状の凸反射面として形成されている。このため、本実施形態の灯具１００によれば、図７、図８に示すように、複数のインナーレンズ４０が凸反射面１２に多重化された状態で写り込み、当該凸反射面１２に写り込んだ虚像が拡大され、図９に示すように、視点位置に応じて見栄えが変化する模様（インナーレンズ４０が倍に見える）が形成されることとなる。なお、この模様は、凸反射面１２の形状を変えることで変化させることが可能である。
【００４３】
また、本実施形態の灯具１００によれば、図３に示すように、第１光源３０から照射され、第１反射面２１に到達した照射光Ｌ１は、当該第１反射面２１で反射され、インナーレンズ４０を透過して図３中Ｌ１で示す方向に照射され、第１配光パターン（特に、車両用信号灯具に適した配光パターン）を形成することとなる。また、本実施形態の灯具１００によれば、第１光源３０から照射され、第２反射面２２に到達した照射光Ｌ２は、当該第２反射面２２で反射され、インナーレンズ４０を透過して凸反射面１２に到達する。この凸反射面１２に到達した照射光Ｌ２は、さらに凸反射面１２で図３中Ｌ２で示す方向に反射され、第１配光パターンに重畳される第２配光パターン（特に、凸反射面１２で拡大されたワイドな車両用信号灯具に適した配光パターン）を形成することとなる。
【００４４】
すなわち、本実施形態の灯具１００によれば、図８、図９に示すように、視点位置に応じて見栄えが変化する模様が形成されるとともに、所定配光パターン（特に、車両用信号灯具に適した配光パターン）を形成することが可能な新規発光見栄えの灯具を提供することが可能となる。
【００４５】
また、本実施形態の灯具１００によれば、図１に示すように、インナーレンズ４０の鋭角の端部４０ａを凹反射面１１の外周縁１１ａ寄りに位置させたので、図８、図９に示すように、当該インナーレンズ４０の鋭角の端部４０ａが凸反射面１２の先端に写り込み、非常にするどい形状の虚像が拡大され、わずかの視線移動で見栄えが非常に大きく変化する模様が形成されることとなる。
【００４６】
すなわち、本実施形態の灯具１００によれば、わずかの視線移動で見栄えが非常に大きく変化する模様が形成されるとともに、所定配光パターン（特に、車両用信号灯具に適した配光パターン）を形成することが可能な新規発光見栄えの灯具を提供すること（新規見栄えと所定配光パターンの両立）が可能となる。
【００４７】
次に、変形例１について説明する。
【００４８】
上記実施形態では、凸反射面１２の周囲の凹反射面１１上に、インナーレンズ４０を環状に配置した例（図１など参照）について説明したが、本発明はこれに限定されない。
【００４９】
例えば、図１０、図１２、図１４に示すように、凸反射面１２の周囲の凹反射面１１上に、第１光源３０を環状に配置してもよい。図１１、図１３、図１５は、それぞれ図１０、図１２、図１４に示す凸反射面１２に環状に配置された第１光源３０が写り込むことで形成される模様（視点位置に応じて見栄えが変化する模様。第１光源３０が倍に見える。）を表している。なお、この模様は、凸反射面１２の形状を変えることで変化させることが可能である。
【００５０】
本変形例１によっても、視点位置に応じて見栄えが変化する模様が形成されるとともに、所定配光パターン（特に、車両用信号灯具に適した配光パターン）を形成することが可能な新規発光見栄えの灯具を提供することが可能となる。
【００５１】
次に、変形例２について説明する。
【００５２】
上記実施形態では、凸反射面１２は、円錐形状の反射面として形成されているように説明した（図１、図３参照）が、本発明はこれに限定されない。例えば、図１２、図１４に示すように、凸反射面１２は多角錐形状の反射面として形成されていてもよい。凸反射面１２がこれら図１２、図１４のように多角錐形状の場合であっても、上記実施形態で説明した凸反射面１２の決定方法と同様の方法で、凸反射面１２を決定することが可能である。
【００５３】
本変形例２によっても、視点位置に応じて見栄えが変化する模様が形成されるとともに、所定配光パターン（特に、車両用信号灯具に適した配光パターン）を形成することが可能な新規発光見栄えの灯具を提供することが可能となる。
【００５４】
次に、変形例３について説明する。
【００５５】
図１６は、本発明の一実施形態の変形例３である灯具１００の拡大断面図である。
【００５６】
図１６に示すように、本変形例３は、上記実施形態で説明した灯具１００（図３等参照）に、光学系５０を追加した例である。
【００５７】
光学系５０は、第３反射面５１、複数の第２光源５２、凸反射面１２などを備えている。
【００５８】
第３反射面５１は、当該第３反射面５１に到達した第２光源５２からの照射光Ｌ３を、凸反射面１２に向けて反射する反射面であり、例えば、第２リフレクタ２０に形成されている。第３反射面５１は、例えば、焦点が第２光源５２近傍に設定された放物線を、灯具光軸ＡＸを中心に回転させることで得られる回転放物面である。
【００５９】
凸反射面１２は、頂点及び灯具光軸ＡＸを通る平面で切断した場合に、外側に膨らんだ曲線Ｃ（又は直線）が現れる円錐形状（又は多角錐形状）の反射面であり、例えば、円錐形状（又は多角錐形状）の透明部材（例えば、アクリル、ポリカーボネイト）の表面又は裏面にアルミニウムなどの金属による蒸着を行うことで、当該凸反射面１２に到達した第３反射面５１からの反射光が透過可能な反射面として形成されている。凸反射面１２は、例えば、凹反射面１１の底部中央に形成された開口周囲１１ａにネジ止めなどの公知の固定手段により固定されている。
【００６０】
第２光源５２は、例えば、単色又はＲＧＢ三色の一つ又は複数のＬＥＤチップをパッケージ化したＬＥＤパッケージなどのＬＥＤ光源や白熱電球などのバルブ光源である。各第２光源５２は、ＬＥＤ光源である場合、例えば、図１６に示すように、光軸（照射方向）を内側に向けた状態で環状に配置されている。
【００６１】
インナーレンズ４０は、光量を向上させるため、図１７に示すように、上記実施形態（図１など参照）で説明したものと比べ、径方向に幅広に形成されている。
【００６２】
本変形例３によっても、視点位置に応じて見栄えが変化する模様が形成されるとともに、所定配光パターン（特に、車両用信号灯具に適した配光パターン）を形成することが可能な新規発光見栄えの灯具を提供することが可能となる。
【００６３】
また、本変形例３の灯具１００によれば、凸反射面１２は当該凸反射面１２に到達した第３反射面５１からの反射光が透過可能な反射面として形成されているため、図１６に示すように、第３反射面５１に到達した第２光源５２からの照射光Ｌ３は、当該第３反射面５１で反射され、凸反射面１２を透過して図１６中Ｌ３で示す方向に照射され、第１及び第２配光パターンに重畳される第３配光パターン（特に、車両用信号灯具に適した配光パターン）を形成することとなる。
【００６４】
すなわち、本変形例３の灯具１００によれば、第１光源３０からの照射光Ｌ１、Ｌ２（図３、図１６参照）によって形成される第１及び第２配光パターンに対し、第２光源５１からの照射光Ｌ３（図１６参照）によって形成される第３配光パターンを付加することが可能となる。
【００６５】
このため、例えば、本変形例３の灯具１００をテールランプに適用した場合、例えば、非ブレーキ時には第１光源３０のみを点灯し、ブレーキ時には第１光源３０及び第２光源５２の両方を点灯するように各光源３０、５２を制御することで、ブレーキ時であっても充分な光量を確保することが可能となり、法規上要求される規格を満たす配光パターンを形成することが可能となる。
【００６６】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００６７】
【図１】本発明の一実施形態である灯具の斜視図である。
【図２】図１に示した灯具の部品構成図である。
【図３】図１に示した灯具の拡大断面図である。
【図４】凸反射面１２の決定方法を説明するための図である。
【図５】凸反射面１２の決定方法を説明するための図である。
【図６】凸反射面１２の決定方法を説明するための図である。
【図７】凸反射面１２の決定方法を説明するための図である。
【図８】図１に示した灯具の正面図であり、正面から見た場合に凸反射面１２に写り込んだ虚像により形成される模様の例である。
【図９】図１に示した灯具の斜視図であり、斜めから見た場合に凸反射面１２に写り込んだ虚像により形成される模様の例である。
【図１０】本発明の一実施形態である灯具（変形例１）の正面図である。
【図１１】図１０に示した灯具（変形例１）の凸反射面１２に写り込んだ虚像により形成される模様の例である。
【図１２】本発明の一実施形態である灯具（変形例２）の正面図である。
【図１３】図１２に示した灯具（変形例２）の凸反射面１２に写り込んだ虚像により形成される模様の例である。
【図１４】本発明の一実施形態である灯具（変形例２）の正面図である。
【図１５】図１４に示した灯具（変形例２）の凸反射面１２に写り込んだ虚像により形成される模様の例である。
【図１６】本発明の一実施形態である灯具（変形例３）の拡大断面図である。
【図１７】本発明の一実施形態である灯具（変形例３）の斜視図である。
【図１８】従来の車両用灯具の構成を説明するための断面図である。
【符号の説明】
【００６８】
１００…灯具、１０…第１リフレクタ、１１…凹反射面、１１ａ  外周縁、１２…凸反射面、２０…第２リフレクタ、２１…第１反射面、２２…第２反射面、３０…第１光源、４０…インナーレンズ、４０ａ…鋭角の端部、４０ｂ…反対側の端部、５０…光学系、５１…第３反射面、５２…第２光源
【図１】
2010140763.tif 000003
【図２】
2010140763.tif 000004
【図３】
2010140763.tif 000005
【図４】
2010140763.tif 000006
【図５】
2010140763.tif 000007
【図６】
2010140763.tif 000008
【図７】
2010140763.tif 000009
【図８】
2010140763.tif 000010
【図９】
2010140763.tif 000011
【図１０】
2010140763.tif 000012
【図１１】
2010140763.tif 000013
【図１２】
2010140763.tif 000014
【図１３】
2010140763.tif 000015
【図１４】
2010140763.tif 000016
【図１５】
2010140763.tif 000017
【図１６】
2010140763.tif 000018
【図１７】
2010140763.tif 000019
【図１８】
2010140763.tif 000020